(57)【要約】【課題】導入孔から本体の上部に設けられた電装品箱に冷却風を送り込むことができる一方、前記導入孔に雨滴が流入してきた際は電装品箱への侵入を防止することのできる空気調和機の室外機を提供する。【解決手段】ヒンジ２０により接合される、桟１９ａを備えた左側板１６と桟１９ｂを備えた右側板１７及びヒンジにより前記左側板１６の上端縁に接合される上板１８とからなる通風板１３を、前記左側板１６と前記右側板１７とを折り畳んで前記桟１９ａと前記桟１９ｂとで雨滴の侵入を防止できる桟を形成し、同通風板１３をバルブカバーと背面カバーとの間に形成される取入口の上方内側に設ける。【選択図】  図３
2004232872.tif 000002
【特許請求の範囲】
【請求項１】
底板上を仕切板により熱交換室と機械室とに区画し、前記熱交換室に熱交換器と送風ファンとを設け、前記機械室に圧縮機と、その上方に電装品箱を設ける一方、吹出口と吸込口とを形成した外胴を前記底板に被着し、同外胴の前記機械室側に外部の空気を取入れる取入口を設けてなる空気調和機の室外機において、
前記取入口に、ヒンジで連結された左側板と右側板とで構成され、前記左側板の裏面に上方に向かい拡開するように傾斜した第一桟を上下に連設し、前記右側板の裏面に下方に向かい拡開するように傾斜した第二桟を上下に連設し、同第二桟の基部が、前記第一桟の基部と対応するように前記第二桟を前記第一桟に対し下方にずらして形成してなり、
前記ヒンジから折曲し前記左側板の前面と前記右側板の前面とを密着させ、前記第一桟の基部と、前記第二桟の基部とを当接させて前記第一桟と前記第二桟とで連続した一つの桟を形成するとともに、これら連続した桟が上下方向において重合するようにした通風板を形成し、前記右側板の裏面側が外部を向くように付設してなることを特徴とする空気調和機の室外機。
【請求項２】
前記左側板の前記ヒンジ側と対向する一側縁に、係止孔を上下に複数穿設し前方に向かい折曲されたフランジを設け、前記右側板の前記ヒンジ側と対向する一側縁に、前記係止孔に対応する係止突起を複数突設させ後方に向かい折曲されたフランジを設け、前記右側板を前記左側板側に折り返した際、前記係止突起を前記係止孔に係止させて前記右側板を前記左側板に固定してなることを特徴とする請求項１に記載の空気調和機の室外機。
【請求項３】
前記右側板のフランジに切欠きを複数設けるとともに、前記左側板のフランジに前記切欠きに対応する長孔を穿設し、前記右側板を前記左側板側に折り返した際、前記切欠きと前記長孔とを重ね合わせネジ挿通孔を設けてなることを特徴とする請求項３に記載の空気調和機の室外機。
【請求項４】
前記左側板、前記右側板及び前記ヒンジとが樹脂材により一体に形成されてなることを特徴とする請求項１又は請求項２又は請求項３に記載の空気調和機の室外機。
【発明の詳細な説明】
【０００１】
【発明の属する技術分野】
本発明は、空気調和機の室外機に関わり、より詳細には本体の背面一側に開口した取入口から雨滴が内部に侵入することを防止した構成に関する。
【０００２】
【従来の技術】
従来の空気調和機の室外機は、例えば図６で示すように、本体の一側面に把手を形成した側面パネル７とバルブカバー８とを取付け、同バルブカバー８の後方に膨出した膨出部８ａと背面パネル１５との隙間に形成される縦長状の取入口９からバルブ１２及びこれに接続されるチューブ１０と配線１１とを導出している。同配線１１は前記バルブカバー８の上部裏面であって本体の角隅部に配設された電装品箱にその一端を夫々接続されている。（特許文献１参照）
【０００３】
前記取入口９の上部内側には、前記電装品箱に雨滴が侵入しないように縦長平板状の仕切板３０が設けられている。しかしながら同仕切板３０には通風孔が設けられていないため、前記電装品箱の冷却を充分におこなうことができなかった。また、単に前記仕切板３０に通風孔を穿設すると雨滴が侵入することとなり、風を通風させて前記電装品箱の冷却を行うとともには雨滴の侵入を防止できる機能を備えた通風板が求められていた。
【０００４】
【特許文献１】
特願２００１−４２７４３号
【０００５】
【発明が解決しようとする課題】
本発明は上記問題点に鑑み、本体の一側上部に設けられた電装品箱に風を送り込みこれを冷却することができる一方、雨滴の侵入を防止する通風板を設けた空気調和機の室外機を提供することを目的とする。
【０００６】
【課題を解決するための手段】
本発明は上記課題を解決するため、底板上を仕切板により熱交換室と機械室とに区画し、前記熱交換室に熱交換器と送風ファンとを設け、前記機械室に圧縮機と、その上方に電装品箱を設ける一方、吹出口と吸込口とを形成した外胴を前記底板に被着し、同外胴の前記機械室側に外部の空気を取入れる取入口を設けてなる空気調和機の室外機において、
前記取入口に、ヒンジで連結された左側板と右側板とで構成され、前記左側板の裏面に上方に向かい拡開するように傾斜した第一桟を上下に連設し、前記右側板の裏面に下方に向かい拡開するように傾斜した第二桟を上下に連設し、同第二桟の基部が、前記第一桟の基部と対応するように前記第二桟を前記第一桟に対し下方にずらして形成してなり、
前記ヒンジから折曲し前記左側板の前面と前記右側板の前面とを密着させ、前記第一桟の基部と、前記第二桟の基部とを当接させて前記第一桟と前記第二桟とで連続した一つの桟を形成するとともに、これら連続した桟が上下方向において重合するようにした通風板を形成し、前記右側板の裏面側が外部を向くように付設してなる構成となっている。
【０００７】
また、前記左側板の前記ヒンジ側と対向する一側縁に、係止孔を上下に複数穿設し前方に向かい折曲されたフランジを設け、前記右側板の前記ヒンジ側と対向する一側縁に、前記係止孔に対応する係止突起を複数突設させ後方に向かい折曲されたフランジを設け、前記右側板を前記左側板側に折り返した際、前記係止突起を前記係止孔に係止させて前記右側板を前記左側板に固定してなる構成となっている。
【０００８】
また、前記右側板のフランジに切欠きを複数設けるとともに、前記左側板のフランジに前記切欠きに対応する長孔を穿設し、前記右側板を前記左側板側に折り返した際、前記切欠きと前記長孔とを重ね合わせネジ挿通孔を設けてなる構成となっている。
【０００９】
また、前記左側板、前記右側板及び前記ヒンジとが樹脂材により一体に形成されてなる構成となっている。
【００１０】
【発明の実施の形態】
以下、本発明の実施の形態を、添付図面に基づいた実施例として詳細に説明する。
図１は本発明による空気調和機の室外機を示す正面と背面からの斜視図であり、図２はバルブカバーと通風板とを示す分解斜視図である。図３は通風板の構造を示す斜視図であり、図４及び図５は本体とバルブカバー及び背面板を示す斜視図である。
本発明による空気調和機の室外機は、底板上に立設された仕切板により同底板上を熱交換室と機械室とに区画し、前記熱交換室に熱交換器と送風ファンとを設け、前記機械室に圧縮機と、その上方に電装品箱を設け、前記底板に、一側に吹出口４を形成するとともに上端を折曲させて天板２を連続形成した断面Ｌ字状の前面パネル１と、図１（Ｂ）で示すように、左側面と背面とを覆う吸込口５を形成した後部パネル３と、右側面に配置される側面パネル７及びバルブカバー８と、同バルブカバー８に接して背面側に配置される背面カバー１５とを被着している。
【００１１】
前記本体内には、背面に設けられた前記吸込口５に臨んで熱交換器と、同熱交換器により熱交換された空気を前記前面パネル１に形成された前記吹出口から外部に吹出す送風ファン６と、前記熱交換器と配管接続される圧縮機とが収納され、同圧縮機の上方であって前記本体の右隅上部には制御基板等を収納した電装品箱１４が設けられている。
【００１２】
上記したように、前記本体の右側面の前部には移送の際使用される把手７ａを備えた側面パネル７が装着され、後部には同側面パネル７に接して上部が広い縦長平板状に形成され、後端側に断面アーチ状に膨出された膨出部８ａを上端から下端にかけて形成したバルブカバー８が装着されている。また前記本体の背面右側には、折曲されたフランジを前記バルブカバー８側に設けた平板状の背面カバー１５が装着されるようになっている。
【００１３】
前記バルブカバー８に形成された膨出部８ａと前記背面カバー１５との間には、前記電装品箱１４に接続される配線１１と、外部の空気を取入れるとともにバルブ１２に接続されるチューブ１０とが導出される取入口９が形成されている。
【００１４】
前記バルブカバー８は、図２で示すように、上端部に後方に向かい湾曲して延出された延出部８ｃを設け、同延出部８ｃの下方に、上記したように後端側が開放されたアーチ状の膨出部８ａを形成している。同膨出部８ａの基部近傍には上下に一対のボス８ｄが内方に向けて突設されており、同ボス８ｄに後述する通風板１３がネジ４０により螺着されるようになっている。
【００１５】
前記通風板１３は樹脂材により一体に形成され、図３（Ａ）で示すように、上方に複数の桟１９ａを形成し一側端を前方に折曲させてフランジ１６ａを設けた左側板１６と、同左側板１６の他側端と折曲自在なヒンジ２０により一側端を接合され、上方に複数の桟１９ｂを形成するとともに、他側端を後方に折曲させてフランジ１７ａを設けた右側板１７と、前記左側板１６の上端縁とヒンジにより接合され、複数の横桟を形成した上板１８とで構成されている。
【００１６】
前記フランジ１７ａには上下一対に切欠き２１ａが形成され、同切欠き２１ａに対応して前記フランジ１６ａには複数の長孔２１ｂが形成されており、前記フランジ１７ａには中央と上下端近傍に係止突起２２ａが夫々突設され、同係止突起２２ａに対応して前記フランジ１６ａには中央と上下端近傍に矩形状の係止孔２２ｂが夫々穿設されている。また前記上板１８の下端には前方に向かいストッパ１８ａが突設されている。
【００１７】
前記左側板１６の裏面には、上方に向かい拡開するように傾斜した第一桟１９ａが上下に連設されて複数の流入口が形成され、前記右側板１７の裏面には、下方に向かい拡開するように傾斜した第二桟１９ｂが上下に連設されて複数の流入口が形成されており、同第二桟１９ｂの下方に傾斜した基部１９ｄは、上方に向かい傾斜した前記第一桟１９ａの基部１９ｃと対応するように同第二桟１９ｂは前記第一桟１９ａに対し下方にずれて形成されている。
【００１８】
前記右側板１７を前記ヒンジ２０により図３（Ａ）の矢印で示すように、前記左側板１６側に折り返すとともに、複数の前記係止突起２２ａを前記係止孔２２ｂに夫々係止させ、また前記上板１８を前方に折曲させるとともに前記ストッパ１８ａを前記左側板に当接させて前記上板１８を水平に支持する。これにより通風板１３は図３（Ｂ）に示すように断面逆Ｌ字状に形成され、また前記切欠き２１ａと前記長孔２１ｂとが重なりあってネジ挿通孔を形成するようになっている。また図３（Ｃ）で示すように、前記第一桟１９ａの下端部となる基部１９ｃが前記第二桟１９ｂの上端部となる基部１９ｄと夫々当接して前記第一桟１９ａと前記第二桟１９ｂとで連続した一つの桟となり、これら桟は夫々上下方向で互いに重なりあうようになっており風は通過させる一方、雨滴の侵入を極力防止できるようになっている。
【００１９】
本体の右側上部には、図４で示すように、前記配線１１を接続端子１４ａに接続させた箱体状の電装品箱１４が設けられ、また本体の右側下方にはチューブ１０を接続した一対のバルブ１２が上下に設けられている。上記した通風板１３を前記バルブカバー８に装着させて右側板１７の裏面が外部に向くように取付ける。続いて前記背面カバー１５を本体の背面右側に取付ける。これにより図５で示すように、前記取入口９の上部を前記通風板１３が覆うようになっている。
【００２０】
前記通風板１３に形成された桟により前記取入口９から流入した空気は前記電装品箱１４の周囲に導びかれ同電装品箱１４を冷却するようになっている。また前記取入口９から雨滴が流入してきたとしても、前記通風板１３に形成された複合した桟により前記電装品箱１４に雨滴が侵入しないよう極力防止することができるようになっている。
【００２１】
【発明の効果】
以上説明したように、本発明によると、ヒンジで夫々接続される桟を備えた左側板と右側板及び上板とからなり、左側板と右側板とを折り畳んで第一桟と第二桟とで複合した桟を形成した通風板を、バルブカバーと背面カバーとの間に形成される取入口の上方内側に設けることにより、電装品箱に冷却風を送り込むことができる一方、雨滴が前記取入口に流入してきた際は、電装品箱への雨滴、水滴の侵入を防止することができる空気調和機の室外機とすることができる。
【図面の簡単な説明】
【図１】（Ａ）は本発明による空気調和機の正面からの斜視図である。
（Ｂ）はその背面からの斜視図である。
【図２】バルブカバーと通風板を示す分解斜視図である。
【図３】（Ａ）は通風板の組立前の状態を示す斜視図である。
（Ｂ）は通風板のを組立てた状態を示す斜視図である。
（Ｃ）は通風板の桟を示す断面図である。
【図４】本体とバルブカバーと背面カバーとを示す分解斜視図である。
【図５】バルブカバーと背面カバーとが本体に取付けられた状態を示す斜視図である。
【図６】従来例による空気調和機を示す斜視図である。
【符号の説明】
１  前面パネル
２  天板
３  後部パネル
４  吹出口
５  吸込口
６  送風ファン
７  側面パネル
７ａ  把手
８  バルブカバー
８ａ  膨出部
８ｃ  延出部
８ｄ  ボス
９  取入口
１０  チューブ
１１  配線
１２  バルブ
１３  通風板
１４  電装品箱
１４ａ接続端子
１５  背面カバー
１６  左側板
１６ａ  フランジ
１７  右側板
１７ａ  フランジ
１８  上板
１８ａ  ストッパ
１９ａ、１９ｂ  桟
２０  ヒンジ
２１ａ  切欠き
２１ｂ  長孔
２２ａ  係止突起
２２ｂ  係止孔
【図１】
2004232872.tif 000003
【図２】
2004232872.tif 000004
【図３】
2004232872.tif 000005
【図４】
2004232872.tif 000006
【図５】
2004232872.tif 000007
【図６】
2004232872.tif 000008